(57)【要約】【課題】  自己調芯型コネクタの省スペース化を図る。【解決手段】  自己調芯型コネクタ１は、コネクタガイド部材１０と、板バネ１９と、プラグコネクタハウジング２０と、レセプタクルコネクタハウジング３０とを備えて構成されている。コネクタガイド部材１０は、パネル９０に対して穴部９１への挿入方向に移動可能な状態で遊嵌装着され、プラグコネクタハウジング２０は、コネクタガイド部材１０に対して穴部９１への挿入方向と交差する方向に移動可能な状態で遊嵌装着される。プラグコネクタハウジング２０は、コネクタガイド部材１０を介してパネル９０に対して挿入方向にも交差する方向にも移動可能な状態で遊嵌装着されるため、両コネクタハウジング２０，３０が適切な嵌合位置で完全嵌合されると共に、自己調芯型コネクタ１の取付スペースが穴部９１とほぼ同等のスペースで済むため、取付スペースの省スペース化を実現する。【選択図】  図１
2005093270.tif 000002
【特許請求の範囲】
【請求項１】
穴部が形成された取付部材の前記穴部の周縁部分に遊嵌状態で取り付けられるコネクタガイド部材と、
このコネクタガイド部材と前記取付部材との間に配設される弾性部材と、
前記コネクタガイド部材に対して遊嵌状態で取り付けられる第１のコネクタハウジングと、
前記コネクタガイド部材に取り付けられた第１のコネクタハウジングと嵌合する第２のコネクタハウジングとを備え、
前記コネクタガイド部材は、
前記第１のコネクタハウジングが挿入されるハウジング装着穴部を形成し、前記取付部材の穴部に遊嵌される筒状のガイド本体部を備え、
前記ガイド本体部は、その側面に、前記取付部材の穴部への挿入によって前記穴部の周縁部分と係合する第１の係合手段を備え、
前記弾性部材は、前記ガイド本体部と前記取付部材の穴部の周縁部分との間に装着され、
前記第１のコネクタハウジングの側面と前記ガイド本体部のハウジング装着穴部の内周面とに、前記第１のコネクタハウジングの前記ハウジング装着穴部への挿入によって、前記コネクタガイド部材に対し前記第１のコネクタハウジングをその挿入方向と直交する面内で移動可能に係合する第２の係合手段を備えた
ことを特徴とする自己調芯型コネクタ。
【請求項２】
前記ガイド本体部は、前記ハウジング装着穴部の一方の開口端側から前記第１のコネクタハウジングの挿入方向と交差する方向の外側に張り出した外側フランジと、前記ハウジング装着穴部の他方の開口端側から前記挿入方向と交差する方向の内側に張り出した内側フランジとを有し、
前記第１のコネクタハウジングは、その側面に、前記コネクタガイド部材への挿入によって、前記ガイド本体部の内側フランジを上下から挟み込む弾性取付片及びハウジング鍔部を有し、
前記内側フランジ、弾性取付片及びハウジング鍔部で前記第２の係合手段が構成されている
ことを特徴とする請求項１記載の自己調芯型コネクタ。
【請求項３】
前記弾性部材は、金属板を折り曲げた構造の板バネ部材であることを特徴とする請求項１又は２記載の自己調芯型コネクタ。
【請求項４】
前記弾性部材は、前記ガイド本体部の外形に沿って取り付けられる環状に形成されたゴム部材であることを特徴とする請求項１又は２記載の自己調芯型コネクタ。
【発明の詳細な説明】
【技術分野】
【０００１】
本発明は、例えばワイヤハーネスを有する自動車用部品などの補機同士やその補機と他の部品などとの接続に際し自動組付作業に好適な自己調芯型コネクタに関し、特にコネクタの設置場所の省スペース化を実現することができる自己調芯型コネクタに関する。
【背景技術】
【０００２】
自動車などに用いられるワイヤハーネス等の接続に際しては、いわゆる調芯コネクタが使用され、更にオートメーションでは、プラグコネクタとレセプタクルコネクタとの間に発生する取付誤差（取付ガタ）を自己整合的に調芯する自己調芯型コネクタが使用される（例えば、特許文献１参照。）。
【０００３】
【特許文献１】特開平８−２５５６５９号公報（第３−５頁、第１−５図）
【０００４】
この特許文献１に記載の電気コネクタ用のフローティングパネル取付システム（自己調芯型コネクタ）は、プラグコネクタの絶縁ハウジングの内側にロックアームが設けられ、取付部材としてのパネルにプラグコネクタ及びロックアームがそれぞれ遊嵌状態で挿入される３つの穴が設けられる。そして、パネルの一方の側プラグコネクタとロックアームとを穴に挿入し、プラグコネクタ取付側と反対側からロックアーム用の穴より大きい保持キャップをロックアームに取り付けてプラグコネクタをパネルに遊嵌装着し、レセプタクルコネクタをパネルの他方の側からプラグコネクタに嵌合して接続を図る構造からなる。
【発明の開示】
【発明が解決しようとする課題】
【０００５】
しかしながら、特許文献１に記載の自己調芯型コネクタでは、パネルに３つの穴としてのプラグコネクタの取付穴（第１の中央の穴）とロックアームの取付穴（第２の外側の穴）とを設け、これらの穴にプラグコネクタ及びロックアームを挿通させて遊嵌状態を図るため、自己調芯型コネクタの取付部分の省スペース化を図り難いという問題がある。
【０００６】
本発明は、このような問題点に鑑みてなされたもので、省スペース化を図ることができる自己調芯型コネクタを提供することを目的とする。
【課題を解決するための手段】
【０００７】
本発明に係る自己調芯型コネクタは、穴部が形成された取付部材の前記穴部の周縁部分に遊嵌状態で取り付けられるコネクタガイド部材と、このコネクタガイド部材と前記取付部材との間に配設される弾性部材と、前記コネクタガイド部材に対して遊嵌状態で取り付けられる第１のコネクタハウジングと、前記コネクタガイド部材に取り付けられた第１のコネクタハウジングと嵌合する第２のコネクタハウジングとを備え、前記コネクタガイド部材は、前記第１のコネクタハウジングが挿入されるハウジング装着穴部を形成し、前記取付部材の穴部に遊嵌される筒状のガイド本体部を備え、前記ガイド本体部は、その側面に、前記取付部材の穴部への挿入によって前記穴部の周縁部分と係合する第１の係合手段を備え、前記弾性部材は、前記ガイド本体部と前記取付部材の穴部の周縁部分との間に装着され、前記第１のコネクタハウジングの側面と前記ガイド本体部のハウジング装着穴部の内周面とに、前記第１のコネクタハウジングの前記ハウジング装着穴部への挿入によって、前記コネクタガイド部材に対し前記第１のコネクタハウジングをその挿入方向と直交する面内で移動可能に係合する第２の係合手段を備えたことを特徴とする。
【０００８】
なお、この自己調芯型コネクタのガイド本体部は、例えばハウジング装着穴部の一方の開口端側から第１のコネクタハウジングの挿入方向と交差する方向の外側に張り出した外側フランジと、ハウジング装着穴部の他方の開口端側から挿入方向と交差する方向の内側に張り出した内側フランジとを有して構成され、第１のコネクタハウジングは、例えばその側面に、コネクタガイド部材への挿入によって、ガイド本体部の内側フランジを上下から挟み込む弾性取付片及びハウジング鍔部を有して構成され、これら内側フランジ、弾性取付片及びハウジング鍔部で第２の係合手段が構成されていると良い。
【０００９】
そして、この自己調芯型コネクタの弾性部材は、例えば金属板を折り曲げた構造の板バネ部材や、ガイド本体部の外形に沿って取り付けられる環状に形成されたゴム部材であると良い。
【発明の効果】
【００１０】
本発明によれば、取付部材に形成された穴部に遊嵌状態で取り付けられると共に第１のコネクタハウジングが挿入されるハウジング装着穴部を形成するガイド本体部を有するコネクタガイド部材を介して第１のコネクタハウジングを取付部材に遊嵌装着する。このため、第１のコネクタハウジングを取付部材に遊嵌状態で取り付けるための穴部が１つで済み、従来のものに比べ自己調芯型コネクタの取付スペースの省スペース化を効果的に図ることが可能となる。
【発明を実施するための最良の形態】
【００１１】
以下、本発明による好適な実施形態を添付の図面を参照しながら説明する。
【００１２】
図１は、本発明の一実施形態に係る自己調芯型コネクタを示す分解斜視図、図２は、この自己調芯型コネクタの組立後の様子を示す外観斜視図、図３は、図２のＡ−Ａ´断面図、図４は、図２のＢ−Ｂ´断面図である。
自己調芯型コネクタ１は、穴部９１が形成された取付部材としてのパネル９０に遊嵌状態で取り付けられるコネクタガイド部材１０と、このコネクタガイド部材１０とパネル９０との間に配設される弾性部材としての板バネ１９と、コネクタガイド部材１０に対して遊嵌状態に取り付けられる第１のコネクタハウジングとしてのプラグコネクタハウジング２０と、このプラグコネクタハウジング２０と嵌合する第２のコネクタハウジングとしてのレセプタクルコネクタハウジング３０とを備えて構成されている。
【００１３】
なお、プラグコネクタハウジング２０内には、ハーネス５１に接続された接続端子６１が、レセプタクルコネクタハウジング３０内には、ハーネス５２に接続された接続端子６２がそれぞれ収容されている（図３及び４参照）。
【００１４】
コネクタガイド部材１０は、内側にプラグコネクタハウジング２０が挿入されるハウジング装着穴部１１を形成し、外形がパネル９０の穴部９１とほぼ整合する筒状のガイド本体部１２を備えて構成されている。ガイド本体部１２は、ハウジング装着穴部１１の一方の開口端側の縁に外側に張り出した外側フランジ１３を有すると共に、他方の開口端側の縁に内側に張り出した内側フランジ１４を有している。
【００１５】
なお、ガイド本体部１２の側壁１５には、例えばパネル９０の穴部９１に挿入された際に、ガイド本体部１２の挿入方向と反対方向への抜けを防止するために穴部９１の周縁部分と係合する取付突起部１８を有する第１の係合手段としての係合片１７が形成されている。
【００１６】
板バネ１９は、図３に示すように、一方の端部が外側フランジ１３の下面に固定されると共に、他方の端部に弾性材からなるストッパ１６が取り付けられてコネクタガイド部材１０の穴部９１への挿入方向への変位を吸収する状態でパネル９０とコネクタガイド部材１０との間に配設されている。これにより、コネクタガイド部材１０は、パネル９０に対して図３中矢印Ｄ１方向に移動可能な状態で遊嵌されている。なお、板バネ１９は、パネル９０からの振動等を直接プラグコネクタハウジング２０やレセプタクルコネクタハウジング３０に伝えないようにするためのショックアブソーバ的役割をも兼ねるものである。
【００１７】
プラグコネクタハウジング２０は、レセプタクルコネクタハウジング３０の縦断面が凹状の凹型ハウジング嵌合部３１（図３及び図４参照）と嵌合する縦断面が凸状の凸型ハウジング嵌合部２１を有し、コネクタガイド部材１０のハウジング装着穴部１１に挿入されコネクタガイド部材１０に対して挿入方向と交差する方向（図３中矢印Ｄ２方向）に移動可能な状態で遊嵌されるハウジング本体部２２を備えて構成されている。ハウジング本体部２２は、側面に形成されたコネクタガイド部材１０の内側フランジ１４の外側フランジ１３形成側の端面にその一部が引っ掛かる形状のハウジング突起部２３を有する弾性取付片２４を備えると共に、コネクタガイド部材１０のガイド本体部１２の他方の開口端側に、例えばハウジング装着穴部１１の穴径よりも大きく外側に張り出すように形成された図中矢印Ｄ２方向に延びる形状のハウジング鍔部２５を備えている。即ち、弾性取付片２４とハウジング鍔部２５とで、ガイド本体部１２の内側フランジ１４を上下から挟み込み係合する。これら内側フランジ１４、弾性取付片２４及びハウジング鍔部２５で第２の係合手段が構成される。なお、内側フランジ１４と弾性取付片２４との挿入方向と交差する方向の端面間には、僅かな隙間が形成されている。
【００１８】
こうして、コネクタガイド部材１０の内側フランジ１４を、ハウジング本体部２２のハウジング突起部２３とハウジング鍔部２５とで挟み込み、内側フランジ１４と弾性取付片２４との間に隙間を形成した状態でハウジング本体部２２がコネクタガイド部材１０に装着されるため、プラグコネクタハウジング２０は、図３中矢印Ｄ２方向に移動可能な状態で遊嵌される。
【００１９】
このように、この自己調芯型コネクタ１は、コネクタガイド部材１０に対して図３中矢印Ｄ２方向に移動可能に遊嵌装着されたプラグコネクタハウジング２０が、このコネクタガイド部材１０を介してパネル９０に対して更に図３中矢印Ｄ１方向に移動可能に遊嵌装着されるため、レセプタクルコネクタハウジング３０との嵌合時に両コネクタハウジング２０，３０の嵌合位置が多少ずれた場合であっても、そのずれを吸収して適切な嵌合位置で完全嵌合を図ることが可能となる。また、自己調芯型コネクタ１のパネル９０への取付スペースが、穴部９１とほぼ同等のスペースで済むため、取付スペースの省スペース化を効果的に図ることが可能となる。更に、板バネ１９がパネル９０とコネクタガイド部材１０との間に配設されているため、パネル９０からの振動等が直接両コネクタハウジング２０，３０に伝わることを効果的に防止することができる。
【００２０】
図５は、本発明の他の実施形態に係る自己調芯型コネクタを示す断面図である。なお、以降において、既に説明した部分と重複する説明は割愛する。
この自己調芯型コネクタ１´は、コネクタガイド部材１０とパネル９０との間に配設される弾性部材として、板バネ１９の代わりにガイド本体部１２の外形に沿って取り付けられる環状に形成されたゴム３９が配設されている点が、先の例の自己調芯型コネクタ１と相違している。この自己調芯型コネクタ１´でも、適切な嵌合位置で両コネクタハウジング２０，３０の完全嵌合を図ることが可能で、自己調芯型コネクタ１´のパネル９０への取付スペースの省スペース化を効果的に図り、パネル９０からの両コネクタハウジング２０，３０への振動等を防止することが可能となる。
【００２１】
なお、以上の実施形態では、コネクタガイド部材１０にプラグコネクタハウジング２０が遊嵌装着されてパネル９０に取り付けられるものについて説明したが、レセプタクルコネクタハウジング３０が遊嵌装着されてパネル９０に取り付けられるものでも良い。
【産業上の利用可能性】
【００２２】
本発明は、遊嵌状態で取り付けられる自己調芯型コネクタを製造し使用する各種産業に利用することができる。
【図面の簡単な説明】
【００２３】
【図１】本発明の一実施形態に係る自己調芯型コネクタを示す分解斜視図である。
【図２】同自己調芯型コネクタの組立後の様子を示す外観斜視図である。
【図３】図２のＡ−Ａ´断面図である。
【図４】図２のＢ−Ｂ´断面図である。
【図５】本発明の他の実施形態に係る自己調芯型コネクタを示す断面図である。
【符号の説明】
【００２４】
１，１´…自己調芯型コネクタ、１０…コネクタガイド部材、１１…ハウジング装着穴部、１２…ガイド本体部、１３…外側フランジ、１４…内側フランジ、１７…係合片、１８…取付突起部、１９…板バネ、２０…プラグコネクタハウジング、２１…凸型ハウジング嵌合部、２２…ハウジング本体部、２３…ハウジング突起部、２４…弾性取付片、２５…ハウジング鍔部、３０…レセプタクルコネクタハウジング、３１…凹型ハウジング嵌合部、３９…ゴム、９０…パネル、９１…穴部。
【図１】
2005093270.tif 000003
【図２】
2005093270.tif 000004
【図３】
2005093270.tif 000005
【図４】
2005093270.tif 000006
【図５】
2005093270.tif 000007